(57)【要約】【課題】  外壁パネルＷを建物全体に仮固定した後にも使用することができ、簡単に少ない力で外壁パネルＷの不陸を修正することができる外壁パネルの面合わせ工具１を提供する。【解決手段】  一端側に操作者が把持するグリップ６を有する長尺な棒部材２と、該棒部材２の他端側に一方の外壁パネルＷの屋外側側面に当接するように、所定範囲で該棒部材の長手方向に揺動自在に固定される押し当てプレート７と、前記棒部材２の他端側の先端に基端部８が固定され、その先端部が、互いに隣接する両外壁パネルＷ間の目地に挿入されて他方の外壁パネルＷの屋内側の縁に掛かる爪部１１を形成する爪板３と、を備え、爪板３の爪部１１を両外壁パネルＷ間の目地に挿入して他方の外壁パネルＷの屋内側の縁に掛けた状態で、前記棒部材２を押し倒すことにより、前記外壁パネルＷを互いに面一となる方向に調節する。【選択図】図２
2010106636.tif 000002
【特許請求の範囲】
【請求項１】
互いに隣接する外壁パネル間の不陸を修正する外壁パネルの面合わせ工具であって、
一端側に操作者が把持するグリップを有する長尺な棒部材と、
該棒部材の他端側に一方の外壁パネルの屋外側側面に当接するように、所定範囲で該棒部材の長手方向に揺動自在に固定される押し当てプレートと、
前記棒部材の他端側の先端に基端部が固定され、その先端部が、互いに隣接する両外壁パネル間の目地に挿入されて他方の外壁パネルの屋内側の縁に掛かる爪部を形成する爪板と、を備え、
爪板の爪部を両外壁パネル間の目地に挿入して他方の外壁パネルの屋内側の縁に掛けた状態で、押し当てプレートを一方の外壁パネルの屋外側面に当接してから、前記棒部材を押し倒すことにより、前記外壁パネルを互いに面一となる方向に調節することを特徴とする外壁パネルの面合わせ工具。
【請求項２】
前記押し当てプレートの前記棒部材の他端側の先端を該棒部材に当接する方向に付勢する付勢部材を備えることを特徴とする請求項１に記載の外壁パネルの面合わせ工具。
【請求項３】
前記爪板は、基端部から折曲して前記外壁パネル間の目地に挿入される板部と、前記板部からやや折曲して形成された調整部と、当該調整部からさらに折曲して前記外壁パネルの屋内側の縁に掛かる爪部とを有することを特徴とする請求項１又は請求項２に記載の外壁パネルの面合わせ工具。
【請求項４】
請求項１から請求項３のいずれかの外壁パネルの面合わせ工具を用いた外壁パネルの面合わせ方法であって、
互いに隣接する両外壁パネルのうちの一方の基準となる外壁パネルを固定し、他方の外壁パネルを可動状態に維持し、
可動する外壁パネルを屋内側に押し入れる場合には、両外壁パネル間の目地に前記爪板を挿入して、固定した外壁パネルの屋内側の縁に前記爪板の先端に形成された前記爪部を掛けるとともに、前記押し付け板を前記可動する外壁パネルの屋外側面に当接させ、前記棒部材を押し倒すことにより、前記可動する外壁パネルを前記固定した外壁パネルと面一となるように調整し、
可動する外壁パネルを屋外側に引き出す場合には、両外壁パネル間の目地に前記爪板を挿入して、前記可動する外壁パネルの屋内側の縁に前記爪板の先端に形成した前記爪部を掛けるとともに、前記押し付け板を前記可動する外壁パネルの屋外側面に当接させ、前記棒部材を押し倒すことにより、前記可動する外壁パネルを前記固定した外壁パネルと面一となるように調整し、
その後、可動する外壁パネルを固定することを特徴とする外壁パネルの面合わせ方法。
【発明の詳細な説明】
【技術分野】
【０００１】
この発明は、互いに隣接して住宅の軸組に固定される外壁パネル同士の不陸の修正に用いる外壁パネルの面合わせ工具及びこの外壁パネルの面合わせ工具を用いた外壁パネルの面合わせ方法に関する。
【背景技術】
【０００２】
従来より、住宅等の建設においては、複数の外壁パネルを軸組に固定して外壁を完成させる。このとき複数の外壁パネルの屋外面に不陸が生じると、住宅の外観の見栄えが悪くなるとともに、外壁目地の防水処理が不十分となる虞もある。
【０００３】
そこで、例えば、図８に示すように、２枚の外壁パネルＷの一側板面同士が同一面となるように板面の通りを調整する外壁パネルの調整治具１００であって、第１当接片１０１、第２当接片１０２、第３当接片１０３と、これら第１〜第３当接片１０１、１０２、１０３を接続する接続棒１０４とからなり、一方の外壁パネルＷの一側板面に当接される第１当接片１０１の当接面と、他方の外壁パネルＷの一側板面に当接される第２当接片１０２の当接面とが、同一面上に間隔をおいて配置され、第２当接片１０２の概ね対向する位置に第３当接片１０３が配置され、第２当接片１０２と第３当接片１０３の間に他方の外壁パネルＷを挟持可能な隙間が形成され、第１当接片１０１、第３当接片１０２、第２当接片１０３の順序で第１〜第３当接片１０１、１０２、１０３が接続棒１０４により接続されていることを特徴とする外壁パネルの調整治具１００が提案されている（例えば特許文献１）。
【０００４】
これによると、一方の外壁パネルＷの突き出ている一側板面に第１当接片１０１を引っかけ、一方の外壁パネルＷを他方の外壁パネルＷの側に引き寄せ、第３当接片１０３と第２当接片１０２を他方の外壁パネルＷの両板面に引っかけ、２枚の外壁パネルＷの一側板面同士が同一面となるように板面の通りを調整するものであるから、ワンタッチで板面の通りを調整できる。また、調整治具１００を外壁パネルＷにセットした後、手を放すことができるので、外壁パネルＷ同士を接続する接続作業等の次の作業を着手できる。
【特許文献１】特開平１０−２８０６９６号公報
【発明の開示】
【発明が解決しようとする課題】
【０００５】
しかし、上述のような外壁パネルの調整治具１００を用いるためには、少なくとも外壁パネルＷの上方又は側方にこの外壁パネルの調整治具１００をはめ込むことができるスペースが必要であり、外壁パネルＷを建物全体に仮固定した後は、このような治具を用いることはできない。
【０００６】
そこで、本発明は、外壁パネルを建物全体に仮固定した後にも使用することができ、簡単に少ない力で外壁パネルの不陸を修正することができる外壁パネルの面合わせ工具を提供することを目的とする。
【課題を解決するための手段】
【０００７】
請求項１に記載の外壁パネルの面合わせ工具は、互いに隣接する外壁パネル間の不陸を修正する外壁パネルの面合わせ工具であって、一端側に操作者が把持するグリップを有する長尺な棒部材と、該棒部材の他端側に一方の外壁パネルの屋外側側面に当接するように、所定範囲で該棒部材の長手方向に揺動自在に固定される押し当てプレートと、前記棒部材の他端側の先端に基端部が固定され、その先端部が、互いに隣接する両外壁パネル間の目地に挿入されて他方の外壁パネルの屋内側の縁に掛かる爪部を形成する爪板と、を備え、爪板の爪部を両外壁パネル間の目地に挿入して他方の外壁パネルの屋内側の縁に掛けた状態で、押し当てプレートを一方の外壁パネルの屋外側面に当接してから、前記棒部材を押し倒すことにより、前記外壁パネルを互いに面一となる方向に調節することを特徴としている。
【０００８】
請求項２に記載の外壁パネルの面合わせ工具は、前記押し当てプレートの前記棒部材の他端側の先端を該棒部材に当接する方向に付勢する付勢部材を備えることを特徴としている。
【０００９】
請求項３に記載の外壁パネルの面合わせ工具は、前記爪板は、基端部から折曲して前記外壁パネル間の目地に挿入される板部と、前記板部からやや折曲して形成された調整部と、当該調整部からさらに折曲して前記外壁パネルの屋内側の縁に掛かる爪部とを有することを特徴としている。
【００１０】
請求項４に記載の外壁パネルの面合わせ方法は、請求項１から請求項３のいずれかの外壁パネルの面合わせ工具を用いた外壁パネルの面合わせ方法であって、互いに隣接する両外壁パネルのうち一方の基準となる外壁パネルを固定し、他方の外壁パネルを可動状態に維持し、可動する外壁パネルを屋内側に押し入れる場合には、両外壁パネル間の目地に前記爪板を挿入して、固定した外壁パネルの屋内側の縁に前記爪板の先端に形成された前記爪部を掛けるとともに、前記押し付け板を前記可動する外壁パネルの屋外側面に当接させ、前記棒部材を押し倒すことにより、前記可動する外壁パネルを前記固定した外壁パネルと面一となるように調整し、可動する外壁パネルを屋外側に引き出す場合には、両外壁パネル間の目地に前記爪板を挿入して、前記可動する外壁パネルの屋内側の縁に前記爪板の先端に形成した前記爪部を掛けるとともに、前記押し付け板を前記可動する外壁パネルの屋外側面に当接させ、前記棒部材を押し倒すことにより、前記可動する外壁パネルを前記固定した外壁パネルと面一となるように調整し、その後、可動する外壁パネルを固定することを特徴としている。
【発明の効果】
【００１１】
請求項１に記載の外壁パネルの面合わせ工具によると、棒状部材に所定範囲で揺動自在に固定された押し当てプレートが一方の外壁パネルの屋外側面に当接するとともに、爪板の先端に形成された爪部が他方の外壁パネルの屋内側の縁に掛かるので、棒状部材の一端に形成された棒部材を押し倒すことにより、極めて簡単に外壁パネルを互いに面一となる方向に調節することができる。すなわち、互いに隣接する外壁パネルのうち一方を固定し他方を可動状態に維持し、固定された側の外壁パネルを支点にして、可動状態の外壁パネルの位置を調節することにより、外壁パネルの不陸を修正することができる。
【００１２】
このように互いに隣り合う外壁パネルの一方を支点にすることで、軸組などの住宅の構造躯体を相手に反力を得ることが困難な場合にも外壁パネルの面あわせをすることができる。
【００１３】
請求項２に記載の外壁パネルの面合わせ工具によると、押し当てプレートは付勢部材により、押し当てプレートの棒部材先端側の端部を当該棒部材に当接する方向に付勢されるので、爪板を外壁パネルの目地に挿入する際にこの押し当てプレートが邪魔になって爪板が適切に挿入できないことを防ぐことができる。爪板を目地に適切に挿入できていない状態で、外壁パネルの面合わせを行おうとすると、爪部が外壁パネルの側面を削る虞があるので、このように構成することで面合わせの作業によって外壁パネルに傷がつくことを抑制することができる。
【００１４】
請求項３に記載の外壁パネルの面合わせ工具によると、爪板は目地に挿入される板部と、外壁パネルの屋内側の縁に掛かる爪部との間に調整部が設けられているので、外壁パネルの面合わせ作業を行う際に、板部又は爪部がやや変形したような場合でも爪部が外壁パネルの屋内側の縁から外れることを防ぐことができる。
【００１５】
請求項４に記載の外壁パネルの面合わせ方法によると、可動する外壁パネルを屋内側に押し入れる場合には、両外壁パネル間の目地に前記爪板を挿入して、固定した外壁パネルの屋内側の縁に前記爪板の先端に形成された前記爪部を掛けるとともに、前記押し付け板を前記可動する外壁パネルの屋外側面に当接させ、前記棒部材を押し倒すことにより、前記可動する外壁パネルを前記固定した外壁パネルと面一となるように調整し、可動する外壁パネルを屋外側に引き出す場合には、両外壁パネル間の目地に前記爪板を挿入して、前記可動する外壁パネルの屋内側の縁に前記爪板の先端に形成した前記爪部を掛けるとともに、前記押し付け板を前記可動する外壁パネルの屋外側面に当接させ、前記棒部材を押し倒すことにより、前記可動する外壁パネルを前記固定した外壁パネルと面一となるように調整するので、極めて簡単に建物の屋外側から外壁パネルの押し入れ、及び引き出しを行うことができる。
【発明を実施するための最良の形態】
【００１６】
以下、この発明における外壁パネルの面あわせ工具１及び外壁パネルの面合わせ方法について、各図を参照しつつ説明する。外壁パネルの面合わせ工具１は、図１に示すように、金属等の剛性を有する細長いパイプからなる棒部材２の先端に、爪板３がボルト４及びナット５により固定されており、この爪板３が取付けられた棒部材２の先端からややグリップ６側には押し当てプレート７が所定範囲で揺動自在に固定されている。また、棒部材２の爪板３と反対側の端部には、例えばエストラマーからなるグリップ６が取付けられており、外壁パネルＷの面合わせ作業を行う際に作業者が把持しやすく形成されている。
【００１７】
爪板３は、例えばステンレスで形成された薄い矩形の金属板を折り曲げて形成したものであり、基端部８が断面コ字状に形成されて、その間に棒部材２の先端を挿し込んで挟持できる構成となっている。そして、挟持した状態で、この基端部８と棒部材２とをボルト４で貫通しナット５を螺着することにより固定している。そして、爪板３は基端部８から折り曲げられて棒部材２と略直交する方向に延びる板部９と、板部９の先端に板部９からやや折曲する調整部１０が形成されており、さらにこの調整部１０からさらに折曲して鉤状に爪部１１が形成されている。この爪板３は、図２に示すように、基端部８と棒部材２とを貫通するボルト４を軸としてやや揺動することができるように固定されており、外壁パネルＷの面合わせ作業を行う場所の高さによっては、外壁パネルの面合わせ工具１をやや傾けて作業することができる。
【００１８】
押し当てプレート７は、外壁パネルＷと当接する側の面にゴム等の弾性体が貼付された平板上の部材であって、裏面には２枚の固定片１２が形成されている。この２枚の固定片１２は、棒部材２を挟むように配置され、軸ボルト１３が棒部材２及び２枚の固定片１２を貫通することにより、図３に示すように、軸ボルト１３に対して押し当てプレート７を所定範囲で揺動自在に固定している。そして、この軸ボルト１３にはバネ１４が外挿されており、このバネ１４は、一端が軸ボルト１３近傍に形成されたバネ止め突起１５に掛け止めされ、他端が押し当てプレート７を付勢している。これにより、この押し当てプレート７は、棒部材２の先端側に倒れるように付勢されており、外力が加わらない状態においては、図３（Ｂ）に示すように、押し当てプレート７は棒部材２の先端方向に倒れて配置されている。
【００１９】
次に、以上のように構成される外壁パネルの面合わせ工具１を用いて行われる外壁パネルの面合わせ方法について説明する。外壁パネルＷは、図４に示すように、サイディングボードの裏面にＣ型鋼１６が埋め込まれて形成されており、軸組１７にアングル１８を介して固定されている。アングル１８と軸組１７とは、ボルト１９及びナット２０により締着されており、ボルト１９を緩めることにより、アングル１８が建物の屋内外方向にスライド可能に構成されている。
【００２０】
まず、互いに隣接する外壁パネルＷのうち一方の外壁パネルＷを基準外壁パネルＷａとしてアングル１８を介して軸組１７に固定し、他方の外壁パネルＷを可動外壁パネルＷｂとして軸組１７とアングル１８とを固定するナット２０を緩める。このようにすると基準外壁パネルＷａは完全に固定される一方、可動外壁パネルＷｂは建物の屋内外方向にスライドすることができる。例えば図４（Ａ）に示すように、基準外壁パネルＷａよりも可動外壁パネルＷｂが屋外側にずれている場合には、作業者は、爪板３の先端に形成された爪部１１が基準外壁パネルＷａ側に配置され、押し当てプレート７が可動外壁パネルＷｂ側になるように、外壁パネルの面合わせ工具１を保持して、両外壁パネルＷ間の目地に爪板３を挿入する。
【００２１】
そして、図４（Ｂ）に示すように、爪部１１を基準外壁パネルＷａに掛けるとともに、押し当てプレート７を可動外壁パネルＷｂの屋外側面に当接させる。そして、グリップ６を徐々に押し倒す。基準外壁パネルＷａはアングル１８を介して軸組１７に固定されているので、グリップ６を押し倒すと、押し当てプレート７が可動外壁パネルＷｂを押し込む。図５（Ａ）に示すように、可動外壁パネルＷｂを基準外壁パネルＷａと面一になるまで押し込んで、図５（Ｂ）に示すように、外壁パネルの面合わせ工具１を外壁パネルＷ間の目地から取り外す。そして、緩めていた軸組１７とアングル１８とを固定するボルトを締着して作業を終了させる。
【００２２】
次に、図６（Ａ）に示すように、基準外壁パネルＷａよりも可動外壁パネルＷｂが建物の屋内側にずれている場合には、作業者は、爪板３の先端に形成された爪部１１が可動外壁パネルＷｂ側になり、押し当てプレート７が基準外壁パネルＷａ側になるように、外壁パネルの面合わせ工具１を保持して、両外壁パネルＷ間の目地に爪板３を挿入する。
【００２３】
そして、図６（Ｂ）に示すように、爪部１１を可動外壁パネルＷｂに掛けるとともに、押し当てプレート７を基準外壁パネルＷａの屋外側面に当接させる。そして、グリップ６を徐々に押し倒す。基準外壁パネルＷａはアングル１８を介して軸組１７に固定されているので、グリップ６を押し倒すと、爪部１１が可動外壁パネルＷｂを引き出す。図７（Ａ）に示すように、可動外壁パネルＷｂを基準外壁パネルＷａと面一になるまで引き出して、図７（Ｂ）に示すように、外壁パネルの面合わせ工具１を外壁パネルＷ間の目地から取り外す。そして、緩めていた軸組１７とアングル１８とを固定するボルト１９を締着して作業を終了させる。
【００２４】
なお、本発明の実施の形態は上述の形態に限ることなく、本発明の思想の範囲を逸脱しない範囲で適宜変更することができることは云うまでもない。また、本実施形態においては、左右の外壁パネルＷ間の不陸の修正を行ったが、外壁パネルの面合わせ工具１の用途はこれに限定されるものではなく、例えば上下に隣接する外壁パネルＷ間の不陸の修正や出隅部に設けられたコーナーパネルの位置の調整に用いることもできる。
【産業上の利用可能性】
【００２５】
本発明に係る外壁パネルの面合わせ工具１及び外壁パネルの面合わせ方法は、住宅等の外壁パネルＷの施工時に外壁パネルＷの不陸を修正する工具及び方法として、好適に用いることができる。
【図面の簡単な説明】
【００２６】
【図１】外壁パネルの面合わせ工具の全体構成を示す側面図及びその拡大図。
【図２】外壁パネルの面合わせ工具の爪板の可動状態を説明する図。
【図３】外壁パネルの面合わせ工具の押し付けプレートの可動状態を説明する図。
【図４】互いの面がずれている外壁パネル間の目地に外壁パネルの面合わせ工具を挿し込む状態を説明する図。
【図５】外壁パネルの面合わせ工具を用いて、外壁パネルの面合わせを行う状態を説明する図。
【図６】互いの面がずれている外壁パネル間の目地に外壁パネルの面合わせ工具を挿し込む状態を説明する図。
【図７】外壁パネルの面合わせ工具を用いて、外壁パネルの面合わせを行う状態を説明する図。
【図８】従来の外壁パネルの調整治具の一例を示す図。
【符号の説明】
【００２７】
１    外壁パネルの面合わせ工具
２    棒部材
３    爪板
７    押し当てプレート
８    基端部
９    板部
１０  調整部
１１  爪部
１４  バネ（付勢部材）
Ｗａ  基準外壁パネル（固定した外壁パネル）
Ｗｂ  可動外壁パネル（可動する外壁パネル）
【図１】
2010106636.tif 000003
【図２】
2010106636.tif 000004
【図３】
2010106636.tif 000005
【図４】
2010106636.tif 000006
【図５】
2010106636.tif 000007
【図６】
2010106636.tif 000008
【図７】
2010106636.tif 000009
【図８】
2010106636.tif 000010